(57)【要約】【課題】  利用者が余裕をもって電車に乗れるようにして、いわゆる駆け込み乗車の減少を可能とし、また操作の繁雑さをなくして構内放送や広告情報等のサービス情報を享受することができるようにした駅構内放送配信システムを得る。【解決手段】  駅構内放送装置１において、駅の構内放送が聴取できる範囲よりも広い範囲に届く電波で構内放送の内容を発信すると共に、構内放送が行われていないときには、広告情報を電波で発信する放送電波発信部９を含む。そして、この駅構内放送装置からの、放送電波を受信する放送電波受信部１４を有する携帯端末２を設ける。【選択図】      図１
2009100240.tif 000002
【特許請求の範囲】
【請求項１】
駅の構内放送が聴取できる範囲よりも広い範囲に届く電波で前記構内放送の内容を発信すると共に、前記構内放送が行われていないときには、広告情報を前記電波で発信する放送電波発信手段を含むことを特徴とする駅構内放送装置。
【請求項２】
前記構内放送が必要ではない領域では、前記構内放送の停止のための電波を発信する停止電波発信手段を、更に含むことを特徴とする請求項１に記載の駅構内放送装置。
【請求項３】
前記広告情報は予めその発信日時が指定されており、前記放送電波発信手段は、この発信日時になったときにその日時に対応する広告情報を発信することを特徴とする請求項１または２に記載の駅構内放送装置。
【請求項４】
駅構内放送装置からの放送電波を受信する携帯端末であって、
前記駅構内放送装置からの、駅の構内放送が聴取できる範囲よりも広い範囲に届きかつ前記構内放送の内容が発信された電波であって、かつ前記構内放送が行われていないときには広告情報が発信された電波を受信する放送電波受信手段を含むことを特徴とする携帯端末。
【請求項５】
前記駅構内放送装置からの、前記構内放送が必要ではない領域では前記構内放送の停止のために発信された電波を受信して、前記放送電波の受信を停止する手段を、更に含むことを特徴とする請求項４に記載の携帯端末。
【請求項６】
前記放送電波の受信を停止している期間は、利用者指定の音楽を出力する手段を、更に含むことを特徴とする請求項５に記載の携帯端末。
【請求項７】
請求項１〜３いずれかに記載の駅構内放送装置と、請求項４〜６いずれかに記載の携帯端末とを含むことを特徴とする駅構内放送システム。
【請求項８】
前記構内放送の停止のための電波を発信する車両を、更に含むことを特徴とする請求項７に記載の駅構内放送システム。
【請求項９】
駅の構内放送が聴取できる範囲よりも広い範囲に届く電波で前記構内放送の内容を発信すると共に、前記構内放送が行われていないときには、広告情報を前記電波で発信する放送電波発信ステップを含むことを特徴とする駅構内放送制御方法。
【請求項１０】
前記構内放送が必要ではない領域では、前記構内放送の停止のための電波を発信する停止電波発信ステップを、更に含むことを特徴とする請求項９に記載の駅構内放送方法。
【請求項１１】
前記広告情報は予めその発信日時が指定されており、前記放送電波発信ステップは、この発信日時になったときにその日時に対応する広告情報を発信することを特徴とする請求項９または１０に記載の駅構内放送方法。
【発明の詳細な説明】
【技術分野】
【０００１】
本発明は駅構内放送装置及び携帯端末並びにそれを用いた駅構内放送システム及び駅構内放送制御方法に関し、特に携帯端末を用いて乗客への案内やサービスを提供する駅構内放送配信方式に関するものである。
【背景技術】
【０００２】
従来からラッシュ時には電車が遅れることが当たり前のようになっており、時刻表が当てにならないものとなっている。このような場合には、駅の構内放送は重要な情報となるが、現状では、利用者が構内放送を聴取できる範囲は狭く、構内放送が聴取できた時点で急いでも電車に間に合わないことや、いわゆる駆け込み乗車が増える原因ともなっている。
【０００３】
また、駅や電車内のさまざまな場所に広告情報があふれているが、構内放送だけは、全ての人に無条件で聞こえてしまうために、周りへの迷惑等もあり広告情報を流すことができない。更には、電車に関するさまざまな情報を配信するサービスもあるが、電光掲示板等の場合には、その設置場所に行く必要があり、携帯電話機で情報を入手する際には、携帯電話機の操作が必要となるために、これらの情報入手を毎日の通勤で行なうのは繁雑であり、手間がかかることになる。
【０００４】
なお、関連する技術として、特許文献１に開示のものがある。
【特許文献１】特開平６−２４７３０７号公報
【発明の開示】
【発明が解決しようとする課題】
【０００５】
上述したように、駅の構内放送が聴取できる範囲は狭く、構内放送が聴取できた時点で、急いでも電車に間に合わないことや、駆け込み乗車が増えるという問題がある。また、駅の構内放送では、周りへの迷惑等もあり、バスのように広告情報を流すことはできい。更にはまた、電車に関する種々の情報を配信するサービスがあるが、電光掲示板等の場合には、その場所に行く必要があり、携帯電話で情報を入手する際には、携帯電話の操作が必要となる。これらの情報入手を毎日の通勤で行なうのは手間がかかり、繁雑となるという問題もある。
【０００６】
上記特許文献１の技術では、駅の構内放送や各種のサービス情報を、利用者が携帯用の案内装置を用いて利用する場合には、その都度、利用者は携帯用案内装置を手動で切り替えて動作させることが必要である。また、利用者は駅の構内放送の提供のみならず、各種のサービス情報の提供を受けるには、夫々の発信情報の周波数に合わせて、携帯用案内装置の受信周波数を切り替えることが必要である。よって、特許文献１の技術では、利用者にとっては、携帯用案内装置の操作が繁雑となるという問題がある。
【０００７】
本は発明の目的は、利用者が余裕をもって電車に乗れるようにして、いわゆる駆け込み乗車の減少を可能とし、また操作の繁雑さをなくして構内放送や広告情報等のサービス情報を享受することができるようにした駅構内放送配信システム及びその方法を提供することである。
【課題を解決するための手段】
【０００８】
本発明による駅構内放送装置は、駅の構内放送が聴取できる範囲よりも広い範囲に届く電波で前記構内放送の内容を発信すると共に、前記構内放送が行われていないときには、広告情報を前記電波で発信する放送電波発信手段を含むことを特徴とする。
【０００９】
本発明による携帯端末は、駅構内放送装置からの放送電波を受信する携帯端末であって、前記駅構内放送装置からの、駅の構内放送が聴取できる範囲よりも広い範囲に届きかつ前記構内放送の内容が発信された電波であって、かつ前記構内放送が行われていないときには広告情報が発信された電波を受信する放送電波受信手段を含むことを特徴とする。
【００１０】
本発明による駅構内放送システムは、上記の駅構内放送装置及び携帯端末を用いたことを特徴とする。
【００１１】
本発明による駅構内放送制御方法は、駅の構内放送が聴取できる範囲よりも広い範囲に届く電波で前記構内放送の内容を発信すると共に、前記構内放送が行われていないときには、広告情報を前記電波で発信する放送電波発信ステップを含むことを特徴とする。
【発明の効果】
【００１２】
本発明による第一の効果は、電車の乗り遅れや、いわゆる駆け込み乗車を減らすことができることである。その理由は、電車が間もなく到着することを示す駅構内放送を、構内放送が聴取できる範囲よりも広い範囲に対して、特定の周波数をもって放送することにより、より速い段階で、電車の到着を利用者は知ることができるからである。
【００１３】
本発明による第二の効果は、広告情報を流すことが可能であり、かつ広告情報を利用者に毎日聞いてもらえることである。その理由は、電波による構内放送は、特定の周波数での放送であって聴きたい人のみ聞くことができるために、広告情報を流すことによる苦情の発生なく広告情報が流せるからである。また、構内放送は毎日聞くものであり、電車が来ておらず構内放送が流れていないときには広告情報を流すことにより、広告情報もあわせて聞いてもらえるからである。
【００１４】
本発明による第三の効果は、利用者は携帯電話で音楽を聞いている状態で何も操作せずに構内放送を聞くことができ、構内放送を聞く必要がないときには自動的に音楽出力に戻ることである。その理由は、構内放送が受信できたときに、音楽出力に割り込んで出力され、構内放送を聞く必要の無いホーム内や電車内では、停止電波を受信することにより、構内放送の出力を抑制しているからである。
【発明を実施するための最良の形態】
【００１５】
以下に、図面を参照しつつ本発明の実施の形態について詳細に説明する。図１を参照すると、本発明の実施の形態による放送装置１（図１（Ａ））と、電車１７（図１（Ｂ））と、携帯電話機２（図１（Ｃ））の各概略ブロック図が示されている。
【００１６】
本実施の形態は、駅構内に設置される放送装置１と電車１７と電車利用者が保持する携帯電話機２からなる。図１（Ａ）に示す放送装置１は、構内放送を出力する構内放送出力部４と、その構内放送を音声出力する放送出力部８と、音声広告データを格納しておく広告データベース３と、現在日時にあわせた音声広告データを広告データベース３より取得して出力する広告出力部５と、構内放送と音声広告データとを合成する放送合成部６と、この合成された放送を電波として発信する放送電波発信部９と、停止電波を出力する停止電波出力部７と、その停止電波を発信する停止電波発信部１０とを含む構成である。
【００１７】
図１（Ｂ）に示す電車１７は、停止電波を出力する停止電波出力部１８と、その停止電波を発信する停止電波発信部１９とを含む構成である。図１（Ｃ）に示す携帯電話機２は、放送電波を受信する放送電波受信部１４と、受信する周波数を設定する周波数設定部１１と、音楽を出力する音楽出力部１２と、音楽と受信した電波情報を合成する音声合成部１３と、この合成された音声を出力する音声出力部１６と、停止電波を受信する停止電波受信部１５とを含む構成である。
【００１８】
本発明では、放送装置１により、駅及びその周辺において、駅の構内放送を特定の周波数の電波として発信し、既存の構内放送よりも広い範囲で、携帯電話機２で、利用者が構内放送を聞けるようにする。また、電車が来ていないときには、構内放送は行なわれていないが、このときには、放送装置１により、広告データベース内の音声広告情報を、構内放送の代わりに発信するように構成する。
【００１９】
また、この電波を受信する携帯電話機２は、音楽を聴いていても、駅の構内放送の電波が受信できたときには割り込んで構内放送が聞け、あわせて、放送装置１や電車１７において発信されている停止電波を受信することにより、ホームや電車内といった構内放送を聞く必要のない場所では、自動的に音楽の出力に戻るようにしている。
【００２０】
図１において、放送装置１は，駅に設置されて構内放送出力部４により出力された駅の構内放送を放送出力部８から音声出力すると共に、放送電波発信部９からも放送電波として発信する。この電波が届く範囲は，放送出力部８より出力される構内放送より広い範囲とする。これにより、利用者は、構内放送をより広い範囲で聞くことが可能となる。また、放送装置１には，広告データベース３を備えており、ここに蓄積されている音声広告データを、構内放送がないときに放送電波発信部９より発信する。この音声広告データは、発信を希望する日付、時間ごとに分類されており、希望日時に発信されるようになっている。
【００２１】
また、放送装置１は停止電波出力部７を備えており、放送出力部８から出力される構内放送が聞こえる範囲と同じ範囲に届く停止電波を、停止電波発信部１０より発信している。これと同様に、電車１７内にも、電車内に届く停止電波を発信している停止電波出力部１８を備えている。
【００２２】
一方、携帯電話機２は、電車利用者が保持しており、音楽出力部１２により出力された音楽を音声出力部１６より聞くことができる。また、周波数設定部１１により、放送電波発信部９より発信された放送電波が受信できるようになる。受信した放送電波は音声出力部１６より音声出力される。このとき、音楽が出力されている場合、これに割り込んで放送内容が出力される。
【００２３】
また、停止電波受信部１５を備え、停止電波発信部１０もしくは停止電波発信部１９より発信された停止電波を受信できる。停止電波は、放送出力部８より出力される構内放送が聞こえる範囲に電車利用者が入った際に、受信可能となり、音声出力部１６より出力されている放送内容が停止される。これにより、電車利用者が駅のホームや電車に乗った際には、自動的に構内放送が停止されるようになる。
【００２４】
以下に、本発明の実施例の動作の詳細を、図２及び図３のフローチャートを参照して説明する。図２は図１の放送装置１の動作を示すフローチャートである。図２において、広告出力部５が現在の日時、時刻を取得し（ステップＡ１）、該当する音声広告データを、広告データベース３より取得する（ステップＡ２）。また、取得した音声広告データを放送合成部６に対して出力する（ステップＡ３）。
【００２５】
放送合成部６では、もし構内放送が一定時間放送されていない状態であるかを判別し（ステップＡ４）、構内放送が一定時間放送されていなければ、音声広告データを電波として放送電波発信部９より発信し（ステップＡ５）、構内放送が放送されていれば、音声広告データの代わりに、構内放送出力部４より出力された構内放送を電波として放送電波発信部９より発信し、あわせて放送出力部８からも構内放送が出力される（ステップＡ８）。
【００２６】
構内放送が終了し、終電が終了していれば（ステップＡ９）、処理終了となり、終電でなければステップＡ４に戻る。また、放送合成部６は、ステップＡ５で音声広告データを発信しているときに、構内放送が開始されたかを判別し（ステップＡ６）、構内放送が開始されたのであれば、音声広告データの代わりに構内放送出力部４より出力された構内放送を電波として、放送電波発信部９より発信し、あわせて放送出力部８からも構内放送が出力される（ステップＡ８）。
【００２７】
構内放送が開始されていなければ、音声広告データを放送し続け、音声広告データの出力が終了していれば（ステップＡ７）、次の音声広告データを取得するために、ステップＡ１に戻る。音声広告データの出力が終了していなければ、ステップＡ５に戻り、音声広告データを放送し続ける。
【００２８】
次に、図３のフローチャートを参照して携帯電話機器２の動作について説明する。周波数設定部１１は放送電波を受信するために周波数を設定する（ステップＢ１）。また、音楽出力部１２は音楽を音声合成部１３に対して出力し、音声合成部１３では音声出力部１６より音楽を出力する（ステップＢ２）。音声合成部１３では、携帯利用者が音楽を終了したかを判別し（ステップＢ３）、終了したのであれば、処理終了となる。
【００２９】
音楽を終了していなければ、放送電波受信部１４より電波として放送された構内放送を受信しているかを判別する（ステップＢ４）。受信してなければ、ステップＢ２の音楽の出力に戻る。受信していれば、停止電波受信部１５より停止電波を受信しているかを判別する（ステップＢ５）。停止電波を受信していれば、放送電波は出力せず、ステップＢ２の音楽の出力に戻る。停止電波を受信していなければ、受信した放送電波を音声出力部１６より出力する（ステップＢ６）。その後ステップＢ４に戻る。
【００３０】
広告データベース３には、図４に示すようなデータが登録されており、９：０２の電車及び終電のための構内放送をＣ１，Ｃ２とする。また、放送電波発信部９より発信される電波は周波数Ｈ１とし、駅の入り口付近まで届くものとする。放送出力部８から放送される構内放送は、ホーム内のみで聞こえるものとし、停止電波発信部１０より発信される電波は周波数Ｈ２とし、同じくホーム内のみで届くものとする。また、電車内の停止電波発信部１９より発信される電波は放送装置１内の停止電波と同様に、周波数Ｈ２とし、電車内のみで届くものとする。
【００３１】
先ず、放送装置１において、広告出力部５は現在の日時として７月１日９：００を取得する（ステップＡ１）。図４より、この日時に該当する音声広告データＤ１を取得する（ステップＡ２）。この音声広告データＤ１を放送合成部６に対して出力する（ステップＡ３）。この時点では、まだ電車が来ておらず、構内放送も一定時間放送されていないため（ステップＡ４）、音声広告データＤ１を電波として、放送電波発信部９より発信する（ステップＡ５）。
【００３２】
その後、９：０２の電車がまもなく到着しようとする際に、構内放送Ｃ１が開始される。この時点で、放送合成部６は、構内放送が開始されたと判別し（ステップＡ６）、現在発信している音声広告データＤ１の代わりに、構内放送出力部４より出力された構内放送Ｂ１を電波として放送電波発信部９より発信し、あわせて放送出力部８からも構内放送Ｂ１が出力される（ステップＡ８）。
【００３３】
構内放送Ｃ１が終わるが、まだ終電ではないので（ステップＡ９）、ステップＡ４に戻り、構内放送が放送されていない状態となるので（ステップＡ４）、音声広告データＤ１を再度電波として発信する（ステップＡ５）。その後、電車は来ておらず、構内放送も開始されず（ステップＡ６）、音声広告データＤ１の出力が終了していない場合（ステップＡ７）、音声広告データＤ１を発信し続ける（ステップＡ５）。
【００３４】
音声広告データＤ１の出力が終了した際には（ステップＡ７）、ステップＡ１に戻り再度日時を取得する。再度日時を取得し、７月１日の終電間近の時間を取得する（ステップＡ１）。図４より、この日時に該当する音声広告データＤ２を取得する（ステップＡ２）。この音声広告データＤ２を放送合成部６に対して出力する（ステップＡ３）。この時点で、終電の構内放送Ｂ２が開始された場合には（ステップＡ４）、音声広告データＤ２の代わりに構内放送出力部４より出力された構内放送Ｃ２を電波として、放送電波発信部９より発信し、あわせて放送出力部８からも構内放送Ｃ２が出力される（ステップＡ８）。構内放送Ｃ２が終わり、これが終電であるために（ステップＡ９）、処理終了となる。
【００３５】
電車利用者は携帯電話機２を持っており、予め放送電波受信部１４より受信する放送電波の周波数をＨ１に設定している（ステップＢ１）。その上で、音楽出力部１２より出力された音声を音声合成部１３は音声出力部１６に対して出力している。この音声はイヤホン等で電車利用者は聞くことができる。
【００３６】
電車利用者が駅から離れている状態では、放送電波受信部１４は周波数Ｈ１の放送電波を受信しておらず（ステップＢ４）、音楽出力に戻る（ステップＢ２）。この電車利用者が駅の入り口に入ったときに、放送電波受信部１４は放送電波発信部９より発信された周波数Ｈ１の放送電波を受信する（ステップＢ４）。この時点では、停止電波受信部１５は周波数Ｈ２の停止電波を受信していないため（ステップＢ５）、音声合成部１３では、受信した周波数Ｈ１の放送電波を音声出力部１６より出力する（ステップＢ６）。
【００３７】
次に、電車利用者がホームに入ったときには、放送電波受信部１４は周波数Ｈ１の放送電波を受信している（ステップＢ４）が、停止電波受信部１５は停止電波発信部１０より発信された周波数Ｈ２の停止電波も受信することになる（ステップＢ５）。このときには、受信した周波数Ｈ１の放送電波を出力せず、音楽出力に戻る（ステップＢ２）。
【００３８】
次に、電車利用者が電車に乗った際には、放送電波受信部１４は周波数Ｈ１の放送電波を受信している（ステップＢ４）が、停止電波受信部１５は停止電波発信部１９より発信された周波数Ｈ２の停止電波も受信することになる（ステップＢ５）。このときには、受信した周波数Ｈ１の放送電波を出力せず、音楽出力に戻る（ステップＢ２）。この電車利用者が音楽を終了させた時には（ステップＢ３）、処理終了となる。
【００３９】
こうすることにより、上述した第一〜第三の効果が得られるとともに、ターゲットを絞った広告情報を流せるという効果もある。その理由は、駅の構内放送ということもあり、その駅付近を利用する人向けの広告情報が流せるし、また、広告情報には、放送希望日や放送希望時間が設定できるために、キャンペーン期間のみ放送したり、店の営業時間に合わせた放送が行なうことができるためである。
【００４０】
本発明は、任意の電車の駅で利用できるが、特に、都市部の人が多く集まるところでは、電車の遅れも多くなるために、構内放送の重要度が高まり、人が多いため広告情報配信の宣伝効果も高まることになる。
【００４１】
上記の実施の形態では、携帯電話機を用いているが、携帯電話機に限らず、無線通信機能を有する携帯端末であれば、適用可能である。また、図１の放送電波発信部９で出力する放送電波の周波数を、通常のラジオでも受信可能な周波数とすることにより、携帯電話機２の代わりに、通常のラジオ、もしくは既存のラジオが受信可能な携帯端末でも、放送電波を受信することが可能となる。
【図面の簡単な説明】
【００４２】
【図１】（Ａ）は本発明の実施の形態による放送装置のブロック図であり、（Ｂ）は本発明の実施の形態による電車のブロック図であり、（Ｃ）は本発明の実施の形態による携帯電話機のブロック図である。
【図２】本発明の実施の形態による放送装置の動作を示すフローチャートである。
【図３】本発明の実施の形態による携帯電話機の動作を示すフローチャートである。
【図４】図１（Ａ）の放送装置における広告データベース３の内容例を示す図である。
【符号の説明】
【００４３】
１  放送装置
２  携帯電話機
３  広告データベース
４  構内放送出力部
５  広告出力部
６  放送合成部
７，１８  停止電波出力部
８  放送出力部
９  放送電波発信部
１０，１９  停止電波発信部
１１  周波数設定部
１２  音楽出力部
１３  音声合成部
１４  放送電波受信部
１５  停止電波受信部
１６  音声出力部
１７  電車
【図１】
2009100240.tif 000003
【図２】
2009100240.tif 000004
【図３】
2009100240.tif 000005
【図４】
2009100240.tif 000006